(57)【要約】【課題】取り忘れ情報を前回のユーザーに通知することができる画像形成装置を提供する。【解決手段】ログイン／ログアウト処理を実行するログイン／ログアウト処理部９２と、処理部９２によってログアウト処理が行われたときに原稿又は画像形成媒体が有ることを有無センサー１１０，１２０が検出した場合に原稿等の取り忘れ情報を記憶する記憶部８０と、処理部９２によって次回のログイン処理が行われた場合にユーザー認証部９１によるユーザー識別情報と前回のログイン／ログアウト処理時のユーザー識別情報とを比較して、両ユーザー識別情報の一致／不一致を判定する判定部９５と、両ユーザー識別情報の不一致が判定された場合に前回のログイン／ログアウト処理時のユーザーに取り忘れ情報を送信部１００に送信させる送信制御部９４と、両ユーザー識別情報の一致が判定された場合に取り忘れ情報を報知部７３に報知させる報知制御部９７と、を備える。【選択図】図２
2013074333.tif 000002
【特許請求の範囲】
【請求項１】
原稿又は画像が形成された画像形成媒体が配置される配置部に原稿又は画像形成媒体が有るか否かを検出する有無センサーと、
ユーザーの識別情報を認証するユーザー認証部と、
前記ユーザー認証部によるユーザーの識別情報の認証に基づいてログイン処理及びログアウト処理を実行するログイン／ログアウト処理部と、
前記ログイン／ログアウト処理部によってログアウト処理が行われたときに、原稿又は画像形成媒体が有ることを前記有無センサーが検出した場合に、前記配置部からの原稿又は画像形成媒体の取り忘れを検知したことを示す取り忘れ情報を記憶する記憶部と、
前記ログイン／ログアウト処理部によって次回のログイン処理が行われた場合に、前記ユーザー認証部によるユーザー識別情報と前回のログイン／ログアウト処理時のユーザー識別情報とを比較して、両ユーザー識別情報が一致しているか又は不一致であるかを判定する判定部と、
所定の送信を行う送信部と、
両ユーザー識別情報が不一致であると前記判定部が判定した場合に、前回のログイン／ログアウト処理時のユーザーに対して前記記憶部に記憶された前記取り忘れ情報を、前記送信部に送信させる送信制御部と、
所定の報知を行う報知部と、
両ユーザー識別情報が一致していると前記判定部が判定した場合に、前記記憶部に記憶された前記取り忘れ情報を前記報知部に報知させる報知制御部と、
を備える画像形成装置。
【請求項２】
前記報知制御部は、両ユーザー識別情報が不一致であると前記判定部が判定した場合に、前記記憶部に記憶された前記取り忘れ情報を前記報知部に報知させる
請求項１に記載の画像形成装置。
【請求項３】
両ユーザー識別情報が不一致であると前記判定部が判定し、前記取り忘れ情報が送信され且つ報知された後に、前記記憶部から前記取り忘れ情報を消去する情報消去部を更に備える
請求項２に記載の画像形成装置。
【発明の詳細な説明】
【技術分野】
【０００１】
本発明は、用紙等の画像形成媒体に画像を形成するコピー機やプリンタ等の画像形成装置に関する。
【背景技術】
【０００２】
例えば、コピー機においては、ユーザーが、自動原稿搬送装置（ＡＤＦ）の原稿載置部や読取りガラス面の上に原稿を載置して、用紙等にコピーを行った際に、原稿をＡＤＦの原稿集積部や読取りガラス面の上から取り忘れ、原稿が長い間放置されてしまう場合がある。
また、プリンタにおいても、画像が形成された後に排紙集積部に排出された用紙等の画像形成媒体が、排紙集積部から取り忘れられ、長い間放置されてしまう場合がある。
【０００３】
このような原稿又は画像形成媒体の取り忘れを防ぐために、コピー機におけるＡＤＦの原稿集積部や読取りガラス面の上の原稿又はプリンタにおける排紙集積部の上の画像形成媒体の有無を検出するセンサーを設け、このセンサーにより原稿又は画像形成媒体が所定時間以上放置されていることが検出された場合に、ＬＡＮ等の通信ネットワークを介して原稿又は画像形成媒体の取り忘れ情報をログインユーザーに送信し、通知するようにした画像形成装置が提案されている（例えば、特許文献１、２参照）。
【先行技術文献】
【特許文献】
【０００４】
【特許文献１】特開２００２−６７４５７号公報
【特許文献２】特開２００９−１０００２４号公報
【発明の概要】
【発明が解決しようとする課題】
【０００５】
しかしながら、特許文献１、２に開示された画像形成装置においては、原稿又は画像形成媒体の取り忘れ情報を送信し、通知するためのトリガーとして、所定時間の経過を用いている。そのため、所定時間の経過前に前回のログインユーザーとは別のユーザー（次回のログインユーザー、又は、取り忘れに気付いた更に別のユーザーも含む）が取り忘れた原稿又は画像形成媒体を取り除いてしまった場合に、前回のログインユーザーに取り忘れ情報を送信して通知することができない可能性がある。
【０００６】
本発明は、取り忘れ情報を前回のログインユーザーに一層確実に送信し、通知することができる画像形成装置を提供することを目的とする。
【課題を解決するための手段】
【０００７】
本発明は、原稿又は画像が形成された画像形成媒体が配置される配置部に原稿又は画像形成媒体が有るか否かを検出する有無センサーと、ユーザーの識別情報を認証するユーザー認証部と、前記ユーザー認証部によるユーザーの識別情報の認証に基づいてログイン処理及びログアウト処理を実行するログイン／ログアウト処理部と、前記ログイン／ログアウト処理部によってログアウト処理が行われたときに、原稿又は画像形成媒体が有ることを前記有無センサーが検出した場合に、前記配置部からの原稿又は画像形成媒体の取り忘れを検知したことを示す取り忘れ情報を記憶する記憶部と、前記ログイン／ログアウト処理部によって次回のログイン処理が行われた場合に、前記ユーザー認証部によるユーザー識別情報と前回のログイン／ログアウト処理時のユーザー識別情報とを比較して、両ユーザー識別情報が一致しているか又は不一致であるかを判定する判定部と、所定の送信を行う送信部と、両ユーザー識別情報が不一致であると前記判定部が判定した場合に、前回のログイン／ログアウト処理時のユーザーに対して前記記憶部に記憶された前記取り忘れ情報を、前記送信部に送信させる送信制御部と、所定の報知を行う報知部と、両ユーザー識別情報が一致していると前記判定部が判定した場合に、前記記憶部に記憶された前記取り忘れ情報を前記報知部に報知させる報知制御部と、を備える画像形成装置に関する。
【０００８】
また、前記報知制御部は、両ユーザー識別情報が不一致であると前記判定部が判定した場合に、前記記憶部に記憶された前記取り忘れ情報を前記報知部に報知させることが好ましい。
【０００９】
また、両ユーザー識別情報が不一致であると前記判定部が判定し、前記取り忘れ情報が送信され且つ報知された後に、前記記憶部から前記取り忘れ情報を消去する情報消去部を更に備えることが好ましい。
【発明の効果】
【００１０】
本発明によれば、取り忘れ情報を前回のログインユーザーに一層確実に送信し、通知することができる画像形成装置を提供することができる。
【図面の簡単な説明】
【００１１】
【図１】本発明の画像形成装置の一実施形態に係るコピー機１の全体構成を説明するための図である。
【図２】コピー機１の機能構成を示すブロック図である。
【図３】コピー機１に接続されるメールサーバー３００を説明するための図である。
【図４】コピー機１の原稿取り忘れ情報の通知又は表示及び消去を含む動作について説明するためのフローチャートである。
【発明を実施するための形態】
【００１２】
以下、図面を参照して、本発明の画像形成装置の一実施形態に係るコピー機について説明する。まず、コピー機１の全体構成について説明する。図１は、本発明の画像形成装置の一実施形態に係るコピー機１の全体構成を説明するための図である。
【００１３】
図１に示すように、コピー機１は、原稿搬送部１０と、原稿読取部２０と、用紙搬送部３０と、画像形成部４０と、転写部５０と、定着部６０とを備える。
原稿搬送部１０は、ＡＤＦ（Ａｕｔｏ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇをコピー機本体２の外部に排出する。
原稿排出部１５におけるコピー機本体２の外側には、原稿集積部（配置部）１６が形成される。原稿集積部１６には、原稿排出部１５から排出された原稿Ｇが積層して集積される。
【００１４】
原稿読取部２０は、第１読取面２１ａと、第２読取面（配置部）２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１５】
また、原稿読取部２０は、照明部２３と、第１ミラー２４と、第２ミラー２５と、第３ミラー２６と、結像レンズ２７と、撮像部２８とをコピー機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１６】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００１７】
用紙搬送部３０は、第２送りローラー３１と、第３送りローラー３２と、レジストローラー対３３と、用紙排出部３４とを備える。第２送りローラー３１は、給紙カセット３６に収容される用紙Ｔ（画像形成媒体）を転写部５０に供給する。第３送りローラー３２は、手差しトレイ３７に載置される用紙Ｔ（画像形成媒体）を転写部５０に供給する。レジストローラー対３３は、転写部５０にトナー画像が形成されるタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔをコピー機本体２の外部に排出する。
用紙排出部３４におけるコピー機本体２の外側には、排紙集積部３５が形成される。排紙集積部３５には、用紙排出部３４から排出された用紙Ｔが積層して集積される。
【００１８】
画像形成部４０は、感光体ドラム４１（４１ａ，４１ｂ，４１ｃ，４１ｄ）と、帯電部４２と、レーザースキャナーユニット４３と、現像器４４と、クリーニング部４５と、トナーカートリッジ４６と、１次転写ローラー４７（４７ａ，４７ｂ，４７ｃ，４７ｄ）と、中間転写ベルト４８と、対向ローラー４９とを備える。
【００１９】
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナーユニット４３と、現像器４４と、クリーニング部４５とが配置される。帯電部４２は、感光体ドラム４１の表面を帯電させる。レーザースキャナーユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００２０】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図１に示す矢印Ａ方向に進行させるための駆動ローラーである。
【００２１】
転写部５０は、２次転写ローラー５１を備える。２次転写ローラー５１は、中間転写ベルト４８における対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００２２】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２３】
次に、コピー機１の機能構成について説明する。図２は、コピー機１の機能構成を示すブロック図である。図３は、コピー機１に接続されるメールサーバー３００を説明するための図である。
図２に示すように、コピー機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。なお、図１を用いて説明した構成要素については、その説明を省略する。
【００２４】
原稿搬送部１０における原稿集積部１６には、原稿排出部１５から排出された原稿Ｇの有無を検出する第１原稿有無センサー１１０が設けられている。また、原稿読取部２０の第２読取面２２ａにも、画像が読み取られる原稿Ｇの有無を検出する第２原稿有無センサー１２０が設けられている。第１原稿有無センサー１１０及び第２原稿有無センサー１２０としては、光学センサーが使用される。
さらに、コピー機１は、上述した機能構成に加えて、操作パネル７０と、記憶部８０と、制御部９０と、インターフェース部（送信部）１００とを備える。
【００２５】
操作パネル７０は、操作部７１と、ユーザーの識別情報を読み取るユーザー識別情報読取部７２と、表示部（報知部）７３と、を有する。
操作部７１は、テンキー（図示せず）、タッチパネル（図示せず）及びスタートキー（図示せず）等を備える。テンキーは、コピー部数等の数字を入力するために操作される。タッチパネルは、種々の機能（一例として、コピー倍率の設定機能や、複数のページを１枚の用紙Ｔに割り付ける機能（２ｉｎ１等））が割り当てられた複数のキー等を表示する。タッチパネルに表示されたキーは、種々の機能のうちのいずれかをコピー機１に実行させるために操作される。スタートキーは、コピー動作を実行させるために操作される。操作部７１は、いずれかのキーが操作されることにより、このキーが操作されたことを表す信号を制御部９０に送信する。
【００２６】
ユーザー識別情報読取部７２は、例えば、ＲＦＩＤ（Ｒａｄｉｏ  Ｆｒｅｑｕｅｎｃｙ  Ｉｄｅｎｔｉｆｉｃａｔｉｏｎ）リーダー等のカードリーダーである。ユーザー識別情報読取部７２は、複数のユーザーが所有する認証用カード１３０に記憶されているユーザー毎に異なる識別情報を読み取る。認証用カード１３０は、例えば、ＩＣカードやＩＤカードである。
表示部７３は、操作に係る各種情報などを表示すると共に、後述する原稿取り忘れ情報を例えば文字などにより表示する。
【００２７】
記憶部８０は、ハードディスクや半導体メモリ等から構成される。記憶部８０は、原稿読取部２０によって読み取られた原稿Ｇに基づく画像データを記憶する。また、記憶部８０は、コピー機１において利用される制御プログラム、及びこの制御プログラムによって利用されるデータ等を記憶する。
【００２８】
また、記憶部８０は、ユーザーの識別情報（属性情報）を予め記憶する。ユーザーの識別情報は、例えば、ユーザー名、所属部署、電話番号、内線番号、メールアドレス等の個人データである。
さらに、記憶部８０は、後述する書込読出部９３によって書き込まれたユーザーの識別情報及び原稿取り忘れ情報を一時的に記憶する一時記憶領域８１を有する。
【００２９】
インターフェース部１００には、図３に示すように、ユーザーの識別情報の一つであるメールアドレスを保存するメールアカウント３０１を有するメールサーバー３００が、ＬＡＮ等の通信ネットワークＮＷを介して接続される。インターフェース部１００は、メールサーバー３００との間で、所定の送受信を行う。メールアカウント３０１は、コピー機１を使用する複数のユーザー毎に設定されている。
【００３０】
制御部９０は、原稿搬送部１０、原稿読取部２０、エンジン部３、操作パネル７０等を制御する。
また、図２に示すように、制御部９０は、ユーザー認証部９１と、ログイン／ログアウト処理部９２と、書込読出部９３と、通信制御部（送信制御部）９４と、判定部９５と、報知制御部としての表示制御部９７と、情報消去部９８とを備える。
ユーザー認証部９１は、ユーザー識別情報読取部７２により読み取られたユーザーの識別情報を認証する。
【００３１】
ログイン／ログアウト処理部９２は、ユーザー認証部９１においてユーザーの識別情報を認証することに基づいてログイン処理を実行すると共に、ログアウト処理を実行する。ログイン／ログアウト処理部９２は、コピー機１に入力されたユーザー識別情報と、記憶部８０に予め記憶されるユーザーの識別情報とが一致する場合に、コピー機１へのログイン処理を実行する。また、ログイン／ログアウト処理部９２は、ユーザーの操作に基づいて、コピー機１からのログアウト処理を実行する。
【００３２】
書込読出部９３は、ログイン／ログアウト処理部９２によってログイン処理が行われた場合に、記憶部８０の一時記憶領域８１にユーザーの識別情報を書き込むことと、記憶部８０の一時記憶領域８１に書き込まれたユーザーの識別情報を読み出すこととが可能である。すなわち、書込読出部９３は、ログイン処理が行われた後からログアウト処理が行われるまでのユーザーログイン中において、ユーザーの識別情報の書き込み及び読み出しが可能になる。
【００３３】
また、書込読出部９３は、ログイン／ログアウト処理部９２によってログアウト処理が実行されたときに、原稿が有ることを第１原稿有無センサー１１０及び／又は第２原稿有無センサー１２０が検出した場合に、原稿の取り忘れを検知し、ログインしたユーザーの識別情報と共に、原稿取り忘れ情報を記憶部８０の一時記憶領域８１に記憶させる。
【００３４】
通信制御部９４は、ログイン／ログアウト処理部９２によってログイン処理が行われた場合に、インターフェース部１００を介してメールアカウント３０１にログインユーザーのメールアドレスを含む識別情報を書き込むことと、インターフェース部１００を介してメールアカウント３０１に保存されるユーザーのメールアドレスを含む識別情報を読み出すこととが可能になる。すなわち、通信制御部９４は、ログイン処理が行われた後からログアウト処理が行われるまでのユーザーログイン中において、ユーザーのメールアドレスを含む識別情報の書き込み及び読み出しが可能になる。
【００３５】
通信制御部９４は、インターフェース部１００を介してメールアカウント３０１にアクセスして、ユーザーの識別情報を書き込む場合には、ＳＭＴＰ（Ｓｉｍｐｌｅ  Ｍａｉｌ  Ｔｒａｎｓｆｅｒ  Ｐｒｏｔｏｃｏｌ）を使用する。一方、通信制御部９４は、インターフェース部１００を介してメールアカウント３０１にアクセスして、ユーザーの識別情報を読み出す場合には、ＰＯＰ３を使用する。
【００３６】
また、通信制御部９４は、書込読出部９３によって記憶部８０から読み出されたユーザーの識別情報を、インターフェース部１００を介してメールアカウント３０１に保存する場合に、ログイン／ログアウト処理部９２によって認証されたユーザーの識別情報をメールアカウント３０１に保存させる。
【００３７】
判定部９５は、ログイン／ログアウト処理部９２によってログイン処理が行われた場合に、ユーザー認証部９１により認証されたユーザーの識別情報と、前回のログイン／ログアウト処理時に認証されたユーザーの識別情報とを比較して、両ユーザーの識別情報が一致しているか不一致であるかを判定する。
すなわち、判定部９５は、ログイン／ログアウト処理部９２によって次回（今回）のログイン処理が実行されたときに、原稿が有ることを第１原稿有無センサー１１０及び／又は第２原稿有無センサー１２０が検出した場合に、前回のログアウト処理時において記憶部８０の一時記憶領域８１に記憶され且つ書込読出部９３により読み出されるユーザーの識別情報と、今回のユーザーの識別情報とが一致しているか否かを判定する。
【００３８】
ここで、判定部９５において両ユーザーの識別情報が不一致であると判定された場合に、書込読出部９３は、記憶部８０の一時記憶領域８１に記憶された前回のログインユーザーの識別情報及び原稿取り忘れ情報の読み出しを行う。
また、判定部９５において両ユーザーの識別情報が不一致であると判定された場合に、通信制御部９４は、メールアカウント３０１に保存される複数のユーザーのメールアドレスの中からいずれか１つのメールアドレスを選択し、その選択されたユーザーに対して原稿取り忘れ情報を、インターフェース部１００からＬＡＮ等の通信ネットワークＮＷを介してエクスポート（送信）し、通知する。つまり、通信制御部９４は、書込読出部９３によって記憶部８０の一時記憶領域８１から読み出された前回のログインユーザーの識別情報に含まれるメールアドレス及び原稿取り忘れ情報を、インターフェース部１００を介してメールアカウント３０１に書き込む。
【００３９】
表示制御部９７は、判定部９５において両ユーザーの識別情報が一致していると判定された場合及び判定部９５において両ユーザーの識別情報が不一致であると判定された場合のいずれにおいても、書込読出部９３によって記憶部８０の一時記憶領域８１から読み出された原稿取り忘れ情報を前回のログインユーザーの識別情報と共に操作パネル７０の表示部７３に表示させるように制御する。
【００４０】
情報消去部９８は、書込読出部９３によって記憶部８０の一時記憶領域８１から読み出された前回のログインユーザーの識別情報及び原稿取り忘れ情報を消去する。つまり、情報消去部９８は、両ユーザー識別情報が不一致であると判定部９５が判定し、取り忘れ情報が送信され且つ報知された後に、記憶部８０から原稿取り忘れ情報を消去する。
【００４１】
次に、本実施形態におけるコピー機１の動作について説明する。図４は、コピー機１の原稿取り忘れ情報の通知又は表示及び消去を含む動作について説明するためのフローチャートである。
【００４２】
ステップＳＴ１１において、ログイン／ログアウト処理部９２は、ユーザー識別情報読取部７２により読み取られたユーザーの識別情報をユーザー認証部９１で認証することに基づいて、ログイン処理を実行する。
【００４３】
ステップＳＴ１２において、第１原稿有無センサー１１０により原稿搬送部１０における原稿集積部１６の上に、又は、第２原稿有無センサー１２０により原稿読取部２０の第２読取面２２ａの上に原稿Ｇが有るか否か（原稿Ｇの取り忘れの有無）が検出される。
検出の結果、原稿Ｇが無い場合（ＮＯ）には、処理は、ステップＳＴ１７に進む。一方、原稿Ｇが有る場合（ＹＥＳ）には、処理は、ステップＳＴ１３に進む。
【００４４】
ステップＳＴ１３において、書込読出部９３は、前回のログアウト処理時において記憶部８０の一時記憶領域８１に記憶されている前回のユーザーの識別情報を読み出す。判定部９５は、読み出された前回のユーザーの識別情報と今回のユーザーの識別情報とを比較して、両ユーザーの識別情報が一致しているか又は不一致であるかを判定する。
判定部９５による判定の結果、両ユーザーの識別情報が不一致であると判定された場合（ＮＯ）には、処理は、ステップＳＴ１４を経由してステップＳＴ１５に進む。一方、両ユーザーの識別情報が一致していると判定された場合（ＹＥＳ）には、ステップＳＴ１４を経由せずに、ステップＳＴ１５に進む。
【００４５】
ステップＳＴ１４において、通信制御部９４は、書込読出部９３によって記憶部８０の一時記憶領域８１から読み出された前回のログインユーザーの識別情報に含まれるメールアドレス及び原稿取り忘れ情報を、インターフェース部１００を介してメールアカウント３０１に書き込む。つまり、通信制御部９４は、メールアカウント３０１に保存される複数のユーザーのメールアドレスの中からいずれか１つのメールアドレスを選択し、その選択されたユーザーに対して原稿取り忘れ情報をインターフェース部１００からＬＡＮ等の通信ネットワークＮＷを介してエクスポート（送信）し、通知する。通知後、処理は、ステップＳＴ１５に進む。
【００４６】
ステップＳＴ１５において、表示制御部９７は、書込読出部９３によって記憶部８０の一時記憶領域８１から読み出された原稿取り忘れ情報及び前回のログインユーザーの識別情報を、操作パネル７０の表示部７３に表示させる。表示後、処理は、ステップＳＴ１６に進む。
【００４７】
ステップＳＴ１６において、情報消去部９８は、ステップＳＴ１５の表示処理後のログインユーザーの識別情報及び原稿取り忘れ情報を記憶部８０の一時記憶領域８１から消去（クリア）する。
【００４８】
ステップＳＴ１７において、制御部９０は、原稿搬送部１０、原稿読取部２０、エンジン部３、操作部７１等の動作を制御する。これによって、原稿搬送、原稿読取り、用紙搬送、画像形成、転写、定着という一連のコピー動作が開始される。
【００４９】
ステップＳＴ１８において、設定された部数のコピーが終了したときに、制御部９０は、原稿搬送部１０、原稿読取部２０、エンジン部３、操作部７１等の動作を停止し、コピー動作を完了する。
【００５０】
ステップＳＴ１９において、コピー動作が完了した後、ユーザーの操作に基づいて、ログイン／ログアウト処理部９２は、コピー機１からのログアウト処理を実行する。
【００５１】
ステップＳＴ２０において、ログアウト処理後に第１原稿有無センサー１１０により原稿搬送部１０における原稿集積部１６の上に原稿Ｇが有るか否か（原稿Ｇの取り忘れの有無）、又は、第２原稿有無センサー１２０により原稿読取部２０の第２読取面２２ａの上に原稿Ｇが有るか否か（原稿Ｇの取り忘れの有無）が検出される。
検出の結果、原稿Ｇが無い場合（ＮＯ）には、全ての処理を終了する。一方、原稿Ｇが有る場合（ＹＥＳ）には、処理は、ステップＳＴ２１に進む。
【００５２】
ステップＳＴ２１において、今回のログインユーザーの識別情報と共に原稿取り忘れ情報が記憶部８０の一時記憶領域８１に書き込まれ、次のログイン処理が行われるまで保存される。
【００５３】
以上説明したように、本実施形態のコピー機１によれば、以下の効果が奏される。
すなわち、本実施形態のコピー機１は、原稿搬送部１０における原稿集積部１６の上、又は、原稿読取部２０の第２読取面２２ａの上に原稿Ｇが有るか否かを検出する第１原稿有無センサー１１０及び第２原稿有無センサー１２０と、ユーザーの識別情報を認証するユーザー認証部９１と、ユーザー認証部９１によるユーザーの識別情報の認証に基づいてログイン処理及びログアウト処理を実行するログイン／ログアウト処理部９２と、ログイン／ログアウト処理部９２によってログアウト処理が行われたときに、原稿Ｇが有ることを第１原稿有無センサー１１０又は第２原稿有無センサー１２０が検出した場合に、原稿集積部１６又は原稿読取部２０の第２読取面２２ａからの原稿Ｇの取り忘れを検知したことを示す取り忘れ情報を記憶する記憶部８０と、ログイン／ログアウト処理部９２によって次回のログイン処理が行われた場合に、ユーザー認証部９１によるユーザー識別情報と前回のログイン／ログアウト処理時のユーザー識別情報とを比較して、両ユーザー識別情報が一致しているか又は不一致であるかを判定する判定部９５と、両ユーザー識別情報が不一致であると判定部９５が判定した場合に、前回のログイン／ログアウト処理時のユーザーに対して記憶部８０に記憶された取り忘れ情報をインターフェース部１００に送信させる通信制御部９４と、両ユーザー識別情報が一致していると判定部９５が判定した場合に、記憶部８０に記憶された取り忘れ情報を表示部７３に報知させる表示制御部９７と、を備える。
【００５４】
そのため、原稿取り忘れを送信し、通知するためのトリガーとして、ユーザー認証部９１によるユーザー認証を用いることにより、取り忘れた原稿が存在する間にコピー機１を使用したユーザーを明確にすることができる。これにより、原稿取り忘れ情報を、前回のログインユーザーに一層確実に送信し通知することができる。
【００５５】
また、本実施形態のコピー機１においては、表示制御部９７は、両ユーザー識別情報が不一致であると判定部９５が判定した場合に、記憶部８０に記憶された取り忘れ情報を表示部７３に表示させる。そのため、両ユーザー識別情報が不一致である場合も、取り忘れ情報を表示部７３に表示させることにより、今回のログインユーザーが取り忘れた原稿を、他のユーザーが誤って持ち去ることを防ぐことができる。
【００５６】
また、本実施形態のコピー機１は、両ユーザー識別情報が不一致であると判定部９５が判定し、取り忘れ情報が送信され且つ報知された後に、記憶部８０から取り忘れ情報を消去する情報消去部９８を更に備える。そのため、取り忘れ情報の送信及び表示後に記憶部８０の一時記憶領域８１から取り忘れ情報を消去することにより、記憶部８０の一時記憶領域８１としては、記憶容量の小さいものを用いることが可能となる。
【００５７】
なお、本発明は、上述した実施形態に限定されることはなく、種々の形態で実施することができる。
例えば、報知部は、所定の表示を行う表示部７３に制限されず、所定の音声を出力するスピーカー、所定の発光を行う発光ダイオードや電球等の発光部でもよい。
配置部は、原稿集積部１６及び第２読取面２２ａに制限されず、例えば、読み取り前の原稿が配置される原稿載置部１１、画像が形成された用紙（画像形成媒体）が配置される排紙集積部３５であってもよい。
【００５８】
また、本実施形態のコピー機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態のコピー機１は、用紙Ｔの片面を印刷する構成であるが、これに限定されることはなく、用紙の両面を印刷する構成であってもよい。
【００５９】
また、本発明の画像形成装置は、上述したコピー機１やプリンタに限定されることはない。すなわち、本発明の画像形成装置は、コピー機能、ファクシミリ機能、プリンタ機能及びスキャナー機能を備える複合機であってもよく、ファクシミリであってもよい。
また、本発明の画像形成装置によってトナー画像が定着される画像形成媒体は、用紙Ｔに限定されることはなく、例えば、ＯＨＰ（オーバヘッドプロジェクター）シート等のフィルムシートであってもよい。
【符号の説明】
【００６０】
１…コピー機（画像形成装置）、１６…原稿集積部（配置部）、２２ａ…第２読取面（配置部）、７３…表示部（報知部）、８０…記憶部、８１…一時記憶領域、９１…ユーザー認証部、９２…ログイン／ログアウト処理部、９４…通信制御部（送信制御部）、９５…判定部、９７…表示制御部（報知制御部）、９８…情報消去部、１００…インターフェース部（送信部）、１１０…第１原稿有無センサー（有無センサー）、１２０，…第２原稿有無センサー（有無センサー）
【図１】
2013074333.tif 000003
【図２】
2013074333.tif 000004
【図３】
2013074333.tif 000005
【図４】
2013074333.tif 000006